(57)【要約】【課題】水がかかるような場所で施工した場合には内部への水の浸入が防止でき、曲がった箇所でも外観を損なうことなく施工可能な配線用ダクトを提供することである。【解決手段】本発明の配線ダクトは、ダクト本体とダクトカバーに加え、化粧カバーを備える。ダクトの長さ方向に沿って自由に変形できる化粧カバーをダクトカバーへ付加することで、ダクトカバーと施工面との間に残る隙間やダクト本体とダクトカバーとの間にできる隙間を塞ぐことが可能な構成とする。【選択図】図１
2014003735.tif 000002
【特許請求の範囲】
【請求項１】
壁面や床面などの施工面に沿って配設される配線を収容する配線ダクトであって、
前記配線ダクトは、
施工面に固定される底片とこの底片の両端から側片が立ち上がる長尺のダクト本体と、
前記ダクト本体を覆う長尺のダクトカバーと、
前記ダクトカバーを覆う長尺の化粧カバーと、を備え、
前記化粧カバーは、長手方向に亘る端部を内側に向けて曲げてフックを構成し、
前記フックは、前記ダクトカバーの長手方向に亘る端部と施工面との間に収められ、ダクトカバーの長手方向に亘る端部に圧接されるように構成されることを特徴とする配線ダクト。
【請求項２】
前記フックは、前記ダクトカバーの内部に収められ、前記ダクト本体の側片へ接触する長さとすることを特徴とする請求項１記載の配線ダクト。
【請求項３】
前記フックは、先端部に突起を備え、
前記突起は、前記ダクトカバーの内部と施工面との間に収容されるよう構成することを特徴とする請求項１または請求項２記載の配線ダクト。
【請求項４】
前記フックは、柔軟性を有する軟質材料で構成されることを特徴とする請求項１乃至請求項３記載の配線ダクト。
【請求項５】
前記化粧カバーは、前記配線ダクトの曲がりに対応する軟質素材で構成されることを特徴とする請求項１乃至請求項４記載の配線ダクト。
【発明の詳細な説明】
【技術分野】
【０００１】
本発明は、壁面や床面に露出する配線を収容して保護する配線ダクトに関するものである。
【背景技術】
【０００２】
特許文献１は、壁面や床面等の施工面に露出する配線を収容して保護する配線ダクトを開示している。この配線ダクトは、施工面に固定される断面がＵ字状のダクト本体と、このダクト本体の開口を塞ぐ形でダクト本体を覆うダクトカバーとで構成される。この種の配線ダクトは、水がかかるような場所で使用する場合、ダクト本体とダクトカバーとの間の隙間を通じて施工面から雨水との水がダクト内部に侵入するおそれがある。また、配線ダクトは、施工場所に応じて屈曲した形で施工されることが多く要求される。ダクト本体及びダクトカバーは共に硬質の材料で形成されているため、屈曲した箇所では、配線ダクトを適宜の長さに切断したものを組み合わせて接続されることになる。この場合は、配線ダクト間に隙間ができ、この間から水が浸入するという問題がある。
【先行技術文献】
【特許文献】
【０００３】
【特許文献１】実開平４−５８０２７号公報
【発明の概要】
【発明が解決しようとする課題】
【０００４】
本発明は、上記の問題点に鑑みてなされたものであり、その目的とするところは、水がかかるような場所で施工した場合に、配線ダクトの内部への水の浸入を防止できる配線用ダクトを提供することである。
【０００５】
この目的のために、本発明では、ダクト本体とダクトカバーとの間に残る隙間を塞ぐことができる化粧カバーを配線ダクトへ付加することを技術的課題とするものである。
【課題を解決するための手段】
【０００６】
壁面や床面などの施工面に沿って配設される配線を収容する配線ダクトである。前記配線ダクトは、施工面に固定される底片とこの底片の両端から側片が立ち上がる長尺のダクト本体と、前記ダクト本体を覆う長尺のダクトカバーと、前記ダクトカバーを覆う長尺の化粧カバーとを備える。前記化粧カバーは、長手方向に亘る端部を内側に向けて曲げてフックを構成する。前記フックは、前記ダクトカバーの長手方向に亘る端部と施工面との間に収められ、ダクトカバーの長手方向に亘る端部に圧接されるように構成されることを特徴とする。
【０００７】
前記フックは、前記ダクトカバーの内部に収められ、前記ダクト本体の側片へ接触する長さとすることを特徴とする。
【０００８】
前記フックは、先端部に突起を備え、前記突起は、前記ダクトカバーの内部と施工面との間に収容されるよう構成することを特徴とする。
【０００９】
前記フックは、柔軟性を有する軟質材料で構成されることを特徴とする。
【００１０】
前記化粧カバーは、前記配線ダクトの曲がりに対応する軟質素材で構成されることを特徴とする。
【発明の効果】
【００１１】
化粧カバーを配線ダクトへ付加することで、ダクト本体とダクトカバーとの間に残る隙間を塞ぐことができ、水がかかるような場所で施工した場合には内部への水の浸入が防止できる。
【図面の簡単な説明】
【００１２】
【図１】本発明の一実施形態に係る配線ダクトにおける全体分解図。
【図２】本発明の一実施形態に係る配線ダクトにおける、ダクト本体にダクトカバーを覆った際の、施工面に対し垂直方向の断面図。
【図３】本発明の一実施形態に係る配線ダクトにおけるダクト本体にダクトカバーを覆い、ダクトカバーに化粧カバーを覆った際の、施工面に対し垂直方向の断面図。
【図４】本発明の一実施形態に係る配線ダクトにおける、繋ぎ合わせたダクトカバーに化粧カバーを覆った全体立体図。
【図５】本発明の一実施形態に係る配線ダクトにおける、Ｌ字型に曲げたダクト本体及びダクトカバーに化粧カバーを覆った全体立体図。
【図６】（ａ）上記において、半円形状である配線ダクトにおける施工面に対し垂直方向の断面図。（ｂ）上記において、三角形状である配線ダクトにおける施工面に対し垂直方向の断面図。（ｃ）上記において、山形形状である配線ダクトにおける施工面に対し垂直方向の断面図。
【発明を実施するための形態】
【００１３】
本発明の一実施形態に係る配線ダクト１００は、壁面や床面などの施工面１に沿って配設される配線を収容するために使用される。
【００１４】
以下、配線ダクトの全体分解図を示す図１と供に、ダクト本体１０にダクトカバー２０を覆った際の断面図を示す図２と、図２のダクトカバー２０に化粧カバー３０を覆った際の断面図を示す図３を使って説明を行う。
【００１５】
配線ダクト１００は、図１に示すように、施工面１に固定される長尺のダクト本体１０と、ダクト本体を覆う長尺のダクトカバー２０と、ダクトカバーを覆う長尺の化粧カバー３０とで構成される。
【００１６】
配線は、図３に示すように、ダクト本体１０を施工面１に止めネジ２で固定した後、ダクト本体１０の内部に納める。
【００１７】
ダクト本体１０は、断面がＵ字形で、施工面１に固定される底片１１と、底片１１の長さ方向に亘る両端から立ち上がる側片１４とを備える。対向する側片１４の上端部間に開口１５が形成される。開口１５から、配線をダクト本体１０内に収める。図２に示すように、底片１１は、施工面１に固定するための止めネジ２が貫通するネジ穴１６を備える。側片１４は、底片１１から外側へ向けて傾斜する外傾斜部１２と、外傾斜部の先端が内側に向けて傾斜する内傾斜部１３とで構成される。側片１４は、弾性変形態である。
【００１８】
ダクトカバー２０は、断面Ｕ字形の長尺で、ダクト本体１０の開口１５を覆う上片２１と、上片２１の長さ方向に亘る両端から延出して側片１４を覆う脚片２２とを備える。脚片２２は、図２に示すように、ダクトカバー２０をダクト本体１０に設置した際、脚片２２の下端部と施工面１との間に隙間２３を残す高さとする。
【００１９】
図２のように、ダクト本体１０にダクトカバー２０を設置する際、ダクト本体１０の側
片１４に与えられる弾性変形態によって、外傾斜部１２と内傾斜部１３の繋ぎ目部分が、脚片２２に圧接する。これにより、ダクトカバー２０は、ダクト本体１０に設置しやすく、密着性の強化を実現する。外傾斜部１２と脚片２２の下先端部との間には、凹部２４を形成する。
【００２０】
化粧カバー３０は、柔軟性を有する軟質材料で成形され、長手方向に沿って自由に湾曲できるように変形可能となっている。そのため、曲がり部材や接続部材による曲げや段差にも柔軟に延伸可能である。化粧カバー３０は、ダクトカバー２０の上片２１を覆う化粧上片３１と、化粧上片３１の長さ方向に亘る両端から延出して脚片２２を覆う化粧脚片３２とを備える。化粧脚片３２は、化粧脚片３２の下端部を内側に向けて曲げて、先端に突起３４を設けたフック３３を備える。フック３３は、柔軟性を有する軟質材料で、フック３３の厚みは、ダクトカバー２０をダクト本体１０に設置した際に形成される隙間２３より大きいものとする。
【００２１】
化粧カバー３０は、フック３３をダクトカバー２０の脚片２２の下先端と施工面１との間の隙間２３に収める。フック３３に柔軟性を備えたことで、脚片２２の下端部へ着脱自在に系合することが可能となる。そして、突起３４を除く部分のフック３３は、ダクトカバー２０の側片１４下端部と施工面１との間に圧入される。これにより、ダクトカバー２０と施工面１との間を水密的に塞いで、防水性を高める。
【００２２】
フック３３は、ダクトカバー２０の内部に収められ、ダクト本体１０の側片１４へ接触する長さとする。これにより、ダクト本体１０とダクトカバー２０との隙間からの水の侵入も防止することが可能となる。
【００２３】
突起３４は、ダクトカバー２０と施工面１との間の凹部２４に収容され、ダクト本体１０とダクトカバー２０との隙間に接触する。突起３４を凹部２４に収容するため、化粧カバー３０がダクトカバー２０へ強固に結合すると供に、ダクト本体１０とダクトカバー２０との隙間を塞ぐ効果も有する。
【００２４】
本発明の実施形態は、継ぎ足しされていない長尺のダクトカバー２０に化粧カバー３０を覆う場合の説明を行ったが、下記の場合も化粧カバー３０で覆うことが可能である。
【００２５】
化粧カバー３０は、配線ダクト１００の曲がりに対応する軟質素材で構成されていることから、配線ダクト１００の形状に合わせて、覆うことが可能となる。
【００２６】
図４のように、ダクトカバー２０が直線的に継ぎ足されて使用される状況でも、上記で説明した長尺のダクトカバー２０と同様に化粧カバー３０を被せることが可能である。施工面１からの水の浸入だけではなく、ダクトカバー２０との継ぎ目からの雨水の浸入をも防ぐことができる。
【００２７】
さらに図５のように、ダクトカバー２０及びダクト本体１０がＬ型に屈曲された形に継ぎ足されて使用される状況でも、化粧カバー３０が長手方向に沿って自由に湾曲できる性質を利用して、屈曲部位を含む全体を覆い隠せることができる。これにより、施工面１からの水の浸入に加え、屈曲部分からの雨水の浸入をも防ぐことが可能である。
【００２８】
本実施形態では、長尺で、断面が、断面がＵ字型のダクト本体及びダクトカバーを使用したが、特に限定するものではない。
【００２９】
図６（ａ）（ｂ）（ｃ）のように、断面形状において、ダクト本体１０及びダクトカバー２０が丸みを帯びたもの、三角形状のもの、山形形状のものも含むものとする。それに
応じて、化粧カバー３０も断面がＵ字型に限るものではない。
【００３０】
また、本実施形態では、化粧カバー３０のフック３３を、ダクトカバー２０の脚片２２の下端部と施工面１との隙間２３に収納する形態を説明したが、図６（ａ）（ｂ）のように、ダクト本体の一部とダクトカバー２０の脚片２２が形成する隙間に収納することも可能とする。
【産業上の利用可能性】
【００３１】
本発明は、配線ダクトを水がかかるような場所で施工した場合に内部への水の浸入を防止できる。
【符号の説明】
【００３２】
１  施工面
１０  ダクト本体
１１  底片
１４  側片
２０  ダクトカバー
３０  化粧カバー
３３  フック
３４  突起
１００  配線ダクト
【図１】
2014003735.tif 000003
【図２】
2014003735.tif 000004
【図３】
2014003735.tif 000005
【図４】
2014003735.tif 000006
【図５】
2014003735.tif 000007
【図６】
2014003735.tif 000008